(57)【要約】【課題】施工時にネジを締め忘れたり、永年の使用によりネジが緩んだりしても、化粧面材が前板部から外れて落ちるといった恐れを解消し、安全な食器洗い機を提供すること。【解決手段】化粧面材６に取り付けた固定金具１１に設けた２つの嵌合部１１ｂのうち一方の嵌合部は、他方の嵌合部との間に切り欠き１１ｃを設けた略Ｌ字状としたものであり、化粧面材６が下に下がっても略Ｌ字状の嵌合部１１ｂの切り欠き１１ｃにネジ１４が引っかかり、食器洗い機１の洗浄槽３を食器洗い機本体２から前後に進退移動する際に化粧面材６が前方に移動し、位置決め金具１０に形成された係合突起１０ａが位置決め部８の係合穴から外れることがなく、化粧面材６が落下することはない。【選択図】図４
2010166993.tif 000002
【特許請求の範囲】
【請求項１】
食器を収納して洗浄する洗浄槽と、前記洗浄槽の前方に設けた前板部と、前記前板部の前方に設けた化粧面材と、前記前板部に設けられ前記化粧面材を取り付ける固定部と、前記固定部に対応して前記化粧面材に設けた固定金具とを備え、前記固定部は、それぞれネジ穴を有する一対の把持片を弾性連結部で弾性連結して構成された固定部材と、この固定部材を保持する保持部材と、前記一対の把持片のそれぞれに設けたネジ穴の双方に螺入され、締め付けることにより前記一対の把持片を互いに接近させるネジとを備えるとともに、前記固定金具は前記化粧面材に取り付けられる取付け面から直角に切り起こして形成した２つの嵌合部を備え、かつ前記２つの嵌合部のうち一方の嵌合部は、他方の嵌合部との間に切り欠きを設けた略Ｌ字状とした食器洗い機。
【請求項２】
化粧面材を前板部に取り付ける時に、固定金具の２つの嵌合部が固定部材の一対の把持片の間に挿入され、かつ、固定部に備えたネジが前記固定金具の２つの嵌合部の間で切り欠きの直下に位置するよう構成した請求項１記載の食器洗い機。
【請求項３】
固定金具の２つの嵌合部は、先端部を弧状に折り曲げて形成し、固定部に備えたネジを締め付けることにより前記先端部が抜けないように固定部材の一対の把持片の間に挟持されることで、化粧面材が前板部に取り付けられる請求項１または２記載の食器洗い機。
【発明の詳細な説明】
【技術分野】
【０００１】
本発明は、システムキッチンを構成するキッチンカウンタ下などにビルトインされ、洗浄槽を前後に進退移動させて食器類を出し入れするプルオープン型の食器洗い機に関するものである。
【背景技術】
【０００２】
従来、ビルトイン型の食器洗い機は、図９に示すように、多くはシステムキッチンを構成するキッチンカウンタＫの下にビルトインされる。キッチンカウンタＫの下には引き出し式の収納部Ｌや開き戸式の収納部Ｍなどのシステムキッチン構造物が設けられ、オーブンレンジＮや食器洗い機１０１がビルトインされるのが一般的な配置形態である。このようなシステムキッチン構造物の表面材は、その素材や色調、図柄が統一され、表面位置が同一平面上になるようにした美麗な外観に仕上げられている。これに合わせて食器洗い機１０１やオーブンレンジＮの表面も同一の色調、図柄に形成され、その表面がシステムキッチン構築物と同一位置になるようにして統一感が得られるようにしている。
【０００３】
上記要求を満たすべく、扉１０２の操作パネル１０３下の表面に周囲の構築物と同一の化粧面材１０４を取り付けることを可能にした食器洗い機が知られている（例えば、特許文献１参照）。
【０００４】
上記特許文献１に開示された食器洗い機について図１０、図１１、図１２、図１３を用いて説明する。図１０に示すように食器洗い機１０１は、前方に開口する箱状に形成された食器洗い機本体１０５内に、上方に開口する洗浄槽１０６を食器洗い機本体１０５の前方開口部から前後に進退移動させ、前方に引き出して上方に開口する洗浄槽１０６から食器類を出し入れすることができるようにしたプルオープン型に構成されている。
【０００５】
洗浄槽１０６の前方には、洗浄槽１０６の幅と略同一にした前板部１０７が設けられ、前板部１０７には上方に操作パネル１０３が設けられ、下方に化粧面材１０４を取り付けた扉１０２が取り付けられる。操作パネル１０３には洗浄槽１０６を食器洗い機本体１０５内に収納したとき、収納状態に保持するロック機構を解除して洗浄槽１０６の引き出しを可能にする解除レバーや、食器乾燥時の洗浄槽１０６内の空気の排気口、食器洗い機１０１の運転を操作する操作入力ボタンなどが設けられている。この操作パネル１０３の下端に上端を接するようにして前板部１０７に化粧面材１０４が取り付けられている。
【０００６】
図１１に示すように、前板部１０７には化粧面材１０４を取り付けるための位置決め部１０８と固定部１０９とが設けられ、化粧面材１０４には位置決め部１０８に対応する位置決め金具１１０と、固定部１０９に対応する固定金具１１１とが取り付けられる。固定部１０９は、図１２に示すように、一対の把持片１１２ａを弾性連結部１１２ｂで互いに接近するように弾性連結して構成された固定部材１１２と、この固定部材１１２を保持する保持部材１１３とを備えて構成されている。また、固定金具１１１は、図１３に示すように取付け面１１１ａから直角に切り起こして２つの先端部を弧状に折り曲げた嵌合部１１１ｂを設けて形成されている。
【０００７】
上記構成により、化粧面材１０４を前板部１０７に取り付けるには、斜め下方から上方に化粧面材１０４を押し上げると、位置決め金具１１０に形成された係合突起１１０ａが位置決め部１０８の係合穴に嵌入するので、化粧面材１０４の下方を前板部１０７の前面に押し付けると、固定金具１１１の嵌合部１１１ｂが固定部１０９の一対の把持片１１２ａの間に押し込まれて仮固定される。前板部１０４の側面からネジ１１４を一方の把持片
１１２ａに形成されたネジ穴に螺入し、一方の把持片１１２ａを貫通し、固定金具１１１の２つの嵌合部１１１ｂの間を通過して他方の把持片１１２ａに形成されたネジ穴に螺入すると、一対の把持片１１２ａの対向間隔が狭まって嵌合部１１１ｂを狭圧するので、固定金具１１１が固定部１０９に固定されて化粧面材１０４が前板部１０７に取り付けられる。
【特許文献１】特開２００５−２５３８２４号公報
【発明の開示】
【発明が解決しようとする課題】
【０００８】
しかしながら、上記特許文献１に開示された従来の食器洗い機の構成では、施工者が、ネジ１１４を締め忘れたりした場合、化粧面材１０４が前板部１０７に仮固定のまま固定されず、洗浄槽１０６を食器洗い機本体１０５から前後に進退移動する際に化粧面材１０４が前方に移動し、位置決め金具１１０の係合突起１１０ａが位置決め部１０８の係合穴から外れ、化粧面材１０４が前板部１０７から外れて落ちる恐れがあるといった課題を有していた。また、永年の使用によりネジ１１４が緩んだ場合も、同様に化粧面材１０４が前板部１０７から外れて落ちる恐れがあるといった課題を有していた。
【０００９】
本発明は、前記従来の課題を解決するもので、施工時にネジを締め忘れた場合や永年の使用によりネジが緩んだりした場合にも、化粧面材が前板部から外れて落ちるといった恐れを解消し、安全な食器洗い機を提供することを目的とする。
【課題を解決するための手段】
【００１０】
本発明は前記従来の課題を解決するために、食器を収納して洗浄する洗浄槽と、前記洗浄槽の前方に設けた前板部と、前記前板部の前方に設けた化粧面材と、前記前板部に設けられ前記化粧面材を取り付ける固定部と、前記固定部に対応して前記化粧面材に設けた固定金具とを備え、前記固定部は、それぞれネジ穴を有する一対の把持片を弾性連結部で弾性連結して構成された固定部材と、この固定部材を保持する保持部材と、前記一対の把持片のそれぞれに設けたネジ穴の双方に螺入され、締め付けることにより前記一対の把持片を互いに接近させるネジとを備えるとともに、前記固定金具は前記化粧面材に取り付けられる取付け面から直角に切り起こして形成した２つの嵌合部を備え、かつ前記２つの嵌合部のうち一方の嵌合部は、他方の嵌合部との間に切り欠きを設けた略Ｌ字状としたもので、施工業者が誤ってネジを締め忘れたり、永年の使用によりネジが緩んだりしても、化粧面材が前板部から外れて落ちるといった恐れを解消し、安全な食器洗い機を提供することを目的とする。
【発明の効果】
【００１１】
本発明の食器洗い機によれば、施工業者がネジを締め忘れたり、永年の使用によりネジが緩んだりしても、略Ｌ字状の嵌合部がネジに引っかかるので、化粧面材が前板部から外れて落ちるといった恐れを解消することができる。
【発明を実施するための最良の形態】
【００１２】
第１の発明は、食器を収納して洗浄する洗浄槽と、前記洗浄槽の前方に設けた前板部と、前記前板部の前方に設けた化粧面材と、前記前板部に設けられ前記化粧面材を取り付ける固定部と、前記固定部に対応して前記化粧面材に設けた固定金具とを備え、前記固定部は、それぞれネジ穴を有する一対の把持片を弾性連結部で弾性連結して構成された固定部材と、この固定部材を保持する保持部材と、前記一対の把持片のそれぞれに設けたネジ穴の双方に螺入され、締め付けることにより前記一対の把持片を互いに接近させるネジとを備えるとともに、前記固定金具は前記化粧面材に取り付けられる取付け面から直角に切り起こして形成した２つの嵌合部を備え、かつ前記２つの嵌合部のうち一方の嵌合部は、他方の嵌合部との間に切り欠きを設けた略Ｌ字状としたことにより、施工業者が誤ってネジ
を締め忘れたり、永年の使用によりネジが緩んだりしても、略Ｌ字状の嵌合部がネジに引っかかるので、化粧面材が前板部から外れて落ちるといった恐れを解消することができる。
【００１３】
第２の発明は、上記第１の発明において、化粧面材を前板部に取り付ける時に、固定金具の２つの嵌合部が固定部材の一対の把持片の間に挿入され、かつ、固定部に備えたネジが前記固定金具の２つの嵌合部の間で切り欠きの直下に位置するよう構成したことにより、施工業者が誤ってネジを締め忘れたり、永年の使用によりネジが緩んだりしても、より確実に略Ｌ字状の嵌合部をネジに引っかけることができるので、化粧面材が前板部から外れて落ちることを確実に防止することができる。また、化粧面材を前板部に取り付ける作業の途中で手を離したとしても、化粧面材を仮保持することができ、安全であるとともに、その状態から作業を再開することができる。
【００１４】
第３の発明は、上記第１または第２の発明において、固定金具の２つの嵌合部は、先端部を弧状に折り曲げて形成し、固定部に備えたネジを締め付けることにより前記先端部が抜けないように固定部材の一対の把持片の間に挟持されることで、化粧面材が前板部に取り付けられる構成としたことにより、ネジを締めるという簡単な作業で化粧面材を前板部に確実に取り付け固定することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における食器洗い機の構成を示す断面図、図２は、同食器洗い機の前面構成を示す正面図、図３、図４、図５は、同食器洗い機の前板部に対する化粧面材の取付け状態を示す断面図、図６は、同食器洗い機の化粧面材に設けられた位置決め金具及び固定金具を取り付けた化粧面材を示す平面図、図７は、同食器洗い機の前板部に設けられた固定部の構成を示す断面図、図８は同食器洗い機の固定金具の構成を示す斜視図である。
【００１７】
図１に示すように食器洗い機１は、前方に開口する箱状に形成された食器洗い機本体２内に、上方に開口する洗浄槽３を食器洗い機本体２の前方開口部から前後に進退移動させ、前方に引き出して上方に開口する洗浄槽３から食器類を出し入れすることができるようにしたプルオープン型に構成されている。
【００１８】
洗浄槽３の前方には、洗浄槽３の幅と略同一にした前板部４が設けられ、前板部４には上方に操作パネル５が設けられ、下方に化粧面材６を取り付けた扉７が取り付けられる。操作パネル５には洗浄槽３を食器洗い機本体２内に収納したとき、収納状態に保持するロック機構を解除して洗浄槽３の引き出しを可能にする解除レバーや、食器乾燥時の洗浄槽３内の空気の排気口、食器洗い機１の運転を操作する操作入力ボタンなどが設けられている。この操作パネル５の下端に上端を接するようにして前板部４に化粧面材６が取り付けられている。
【００１９】
扉７を構成する操作パネル５及び化粧面材６は、図２に示すように、食器洗い機本体２の前面を覆うことができる幅に形成されているので、ビルトインされた食器洗い機１の扉７を閉じる、即ち洗浄槽３を食器洗い機本体２に収納した状態において、図１に示すように、前板部４は食器洗い機本体２の前方開口部に入り、扉７は、食器洗い機本体２の前方開口部を閉じる。
【００２０】
図３、図４、図５に示すように、前板部４には化粧面材６を取り付けるために、上部に
係合穴を有する位置決め部８と下部に固定部９とがそれぞれ設けられ、図６に示すように化粧面材６には位置決め部８に対応する位置決め金具１０と、固定部９に対応する固定金具１１とがそれぞれ左右に一対取り付けられる。
【００２１】
固定部９は、図７に示すように、一対の把持片１２ａを弾性連結部１２ｂで互いに接近するように弾性連結して構成された固定部材１２と、この固定部材１２を保持する保持部材１３とを備えて構成され、前板部４の側面からネジ１４が一対の把持片１２ａに取り付けられている。
【００２２】
また、固定金具１１は、図８に示すように取付け面１１ａから直角に切り起こして２つの先端部を弧状に折り曲げた嵌合部１１ｂを設けて形成されており、一方の嵌合部１１ｂには、他方の嵌合部１１ｂとの間に切り欠き１１ｃが設けられ、略Ｌ字状に形成されている。そして、この固定金具１１は、切り欠き１１ｃを設けた方の嵌合部１１ｂが上側になるように化粧面材６に取り付ける。
【００２３】
以上のように構成された食器洗い機について、以下にその動作、作用について説明する。まず、前板部４に取り付けられた固定部９の一対の把持片１２ａに形成されたネジ穴にネジ１４を螺入する。ネジ１４を一方の把持片１２ａを貫通させ、さらに他方の把持片１２ａに形成されたネジ穴に螺入する。この時、ネジ１４の螺入は、他方の把持片１２ａに形成されたネジ穴に少し螺入した状態に止めておく。
【００２４】
化粧面材６を前板部４に取り付けるには、図３に示すように斜め下方から上方に化粧面材６を押し上げると、位置決め金具１０に形成された係合突起１０ａが位置決め部８の係合穴に嵌入し、化粧面材６の下方を前板部４の前面に押し付けると化粧面材６が前板部４の固定部９に挿入され、固定金具１１の嵌合部１１ｂが固定部９の一対の把持片１２ａの間に押し込まれて仮固定される。この状態では、ネジ１４は固定金具１１の２つの嵌合部１１ｂの間に入り込み、切り欠き１１ｃの直下に位置している。
【００２５】
この状態で化粧面材６から手を離すと、図４のように化粧面材６は下に下がり、略Ｌ字状の嵌合部１１ｂの切り欠き１１ｃにネジ１４が引っかかり、食器洗い機１の洗浄槽３を食器洗い機本体２から前後に進退移動する際に化粧面材６が前方に移動し位置決め金具１０に形成された係合突起１０ａが位置決め部８の係合穴から外れることがなく、仮保持することができ、化粧面材６が落下することはない。
【００２６】
次に図５のように化粧面材６を上方に押し上げた状態で、前板部４の側面からネジ１４を締め付けていくと、一対の把持片１２ａの対向間隔が狭まって嵌合部１１ｂを狭圧するので、嵌合部１１ｂの弧状に折り曲げて形成した先端部が抜けないように一対の把持片１２ａの間に挟持された状態で固定金具１１が固定部９に固定され、化粧面材６が前板部４に取り付けられる。
【００２７】
したがって、施工者がネジ１４を締め忘れたりした場合や永年の使用によりネジ１４が緩んだりした場合にも、位置決め金具１０の係合突起１０ａが位置決め部８の係合穴から外れ、化粧面材６が前板部４から外れて落ちることがない。
【産業上の利用可能性】
【００２８】
以上のように、本発明にかかる食器洗い機は、使用中に化粧面材が落下することを防止することが可能となるので、システムキッチンを構成するキッチンカウンタ下などにビルトインされ、洗浄槽を前後に進退移動させて食器類を出し入れするプルオープン型の食器洗い機等として有用である。
【図面の簡単な説明】
【００２９】
【図１】本発明の第１の実施の形態における食器洗い機の構成を示す断面図
【図２】同食器洗い機の構成を示す正面図
【図３】同食器洗い機の化粧面材に取り付けた位置決め金具を前板部の位置決め部に係合させる時の状態を示す断面図
【図４】同食器洗い機の化粧面材を前板部に仮固定した後、手を離した時の状態を示す断面図
【図５】同食器洗い機の化粧面材を前板部に取り付けた状態を示す断面図
【図６】同食器洗い機の位置決め金具及び固定金具を取り付けた化粧面材を示す平面図
【図７】同食器洗い機の前板部に設けられた固定部の構成を示す断面図
【図８】同食器洗い機の固定金具の構成を示す斜視図
【図９】従来の食器洗い機における食器洗い機をビルトインしたキッチンシステムの例を示す斜視図
【図１０】同食器洗い機の構成を示す断面図
【図１１】同食器洗い機における前板部に対する化粧面材の取付け構造を示す断面図
【図１２】同食器洗い機における固定部の構成を示す断面図
【図１３】同食器洗い機における固定金具の構成を示す斜視図
【符号の説明】
【００３０】
１  食器洗い機
２  食器洗い機本体
３  洗浄槽
４  前板部
６  化粧面材
９  固定部
１１  固定金具
１１ａ  取付け面
１１ｂ  嵌合部
１１ｃ  切り欠き
１２  固定部材
１２ａ  把持片
１２ｂ  弾性連結部
１３  保持部材
１４  ネジ
【図１】
2010166993.tif 000003
【図２】
2010166993.tif 000004
【図３】
2010166993.tif 000005
【図４】
2010166993.tif 000006
【図５】
2010166993.tif 000007
【図６】
2010166993.tif 000008
【図７】
2010166993.tif 000009
【図８】
2010166993.tif 000010
【図９】
2010166993.tif 000011
【図１０】
2010166993.tif 000012
【図１１】
2010166993.tif 000013
【図１２】
2010166993.tif 000014
【図１３】
2010166993.tif 000015